(57)【要約】【課題】低コスト、低騒音、省スペースでありながら、回転多面鏡の結露を抑制する。【解決手段】エンジン制御部１０１により回転多面鏡１０５の回転を制御する制御モードとして、画像形成を実行する画像形成モードと、結露対策のために回転多面鏡の結露を除去する結露除去モードとがある。モータ１０４の回転により回転多面鏡１０５が回転する。ＣＰＵ１０２は、結露除去モードでは、結露防止のためにモータ１０４に対する通電制御処理を実行する。通電制御処理において、ＣＰＵ１０２は、画像形成モードに比し低速でモータ１０４を回転させる。【選択図】図３
2019101237.tif 000002
【特許請求の範囲】
【請求項１】
感光体と、
前記感光体を露光するためのレーザビームを出射する出射手段と、
前記出射手段により出射されたレーザビームが前記感光体上を走査するように前記レーザビームを偏向する回転多面鏡と、
前記回転多面鏡を回転させるモータと、
前記モータの回転を制御する制御手段と、を有する画像形成装置であって、
前記制御手段は、画像形成を実行する画像形成モードでは前記モータの目標回転数が第１の回転数となるように前記モータの回転を制御し、前記画像形成モードとは異なるモードであって前記回転多面鏡の結露を除去する結露除去モードでは、前記モータの目標回転数が前記第１の回転数より低速である第２の回転数となるように前記モータを回転させるか、または、前記モータに通電し且つ前記モータの回転を停止させることを特徴とする画像形成装置。
【請求項２】
前記制御手段は、前記結露除去モードでは、前記モータに間欠的に通電することを特徴とする請求項１に記載の画像形成装置。
【請求項３】
前記制御手段は、前記結露除去モードでは、前記モータの三相交流におけるＵ相、Ｖ相、Ｗ相への通電を一斉にオンにするよう制御することを特徴とする請求項１に記載の画像形成装置。
【請求項４】
前記制御手段は、前記結露除去モードでは、前記モータの三相交流におけるＵ相、Ｖ相、Ｗ相への通電を一斉にオンにした後、一斉にオフにすることを繰り返すよう制御することを特徴とする請求項１に記載の画像形成装置。
【請求項５】
前記回転多面鏡の温度を検知する検知手段を有し、
前記制御手段は、前記結露除去モードでは、前記検知手段により検知された温度に基づいて、前記モータの通電期間を制御することを特徴とする請求項４に記載の画像形成装置。
【請求項６】
前記制御手段は、前記結露除去モードでは、前記出射手段によるレーザビームの出射を停止することを特徴とする請求項１〜５のいずれか１項に記載の画像形成装置。
【請求項７】
前記結露除去モードを選択した場合は、印刷ジョブを実行しない期間の開始時刻及び終了時刻を設定する設定手段を更に有することを特徴とする請求項１〜６のいずれか１項に記載の画像形成装置。
【発明の詳細な説明】
【技術分野】
【０００１】
本発明は、レーザビームを偏向走査する回転多面鏡を備えた画像形成装置に関する。
【背景技術】
【０００２】
複写機、プリンタおよびファクシミリ装置などの画像形成装置においては、使用条件によっては装置内に結露を生じ、正常な動作を望めない場合がある。装置内の結露対策として特許文献１、２の技術が知られている。特許文献１は、装置内部に結露を解消するためのヒータを設けておき、装置の電源が切られてからユーザにより設定された時間が経過した時にヒータによる加熱を開始することで、電源投入前に結露を解消する。特許文献２は、結露の発生が予測される条件下で、所定位置に設けた光検出センサによって露光ユニットからのレーザ光が検出されないとき、回転多面鏡を回転させるためのモータおよび換気用ファンを所定時間駆動させることで結露を除去する。
【先行技術文献】
【特許文献】
【０００３】
【特許文献１】特開平６−１９４９０２号公報
【特許文献２】特開２００６−９１２０６号公報
【発明の概要】
【発明が解決しようとする課題】
【０００４】
しかしながら、特許文献１では、ヒータの追加によりコストアップするだけでなく、ヒータを設けるスペースが必要となり、装置の小型化が困難となる。また特許文献２では、プリント動作時以外の期間にポリゴンモータを通常時と同様に回転させると、プリント動作時と同じような騒音がポリゴンモータから発生してしまう。しかも、換気用ファンの駆動によっても騒音が発生する。
【０００５】
本発明は、低コスト、低騒音、省スペースでありながら、回転多面鏡の結露を抑制することを目的とする。
【課題を解決するための手段】
【０００６】
上記目的を達成するために本発明は、感光体と、前記感光体を露光するためのレーザビームを出射する出射手段と、前記出射手段により出射されたレーザビームが前記感光体上を走査するように前記レーザビームを偏向する回転多面鏡と、前記回転多面鏡を回転させるモータと、前記モータの回転を制御する制御手段と、を有する画像形成装置であって、前記制御手段は、画像形成を実行する画像形成モードでは前記モータの目標回転数が第１の回転数となるように前記モータの回転を制御し、前記画像形成モードとは異なるモードであって前記回転多面鏡の結露を除去する結露除去モードでは、前記モータの目標回転数が前記第１の回転数より低速である第２の回転数となるように前記モータを回転させるか、または、前記モータに通電し且つ前記モータの回転を停止させることを特徴とする。
【発明の効果】
【０００７】
本発明によれば、低コスト、低騒音、省スペースでありながら、回転多面鏡の結露を抑制することができる。
【図面の簡単な説明】
【０００８】
【図１】画像形成装置を含む画像形成システムの構成を示すブロック図である。
【図２】エンジン制御部及びモータユニットのブロック図である。
【図３】メイン処理のフローチャートである。
【図４】画像形成モードにおけるＡＣＣ信号、ＤＥＣ信号のタイミングチャートである。
【図５】画像形成モードにおけるモータ通電例を示すタイミングチャートである。
【図６】結露除去モードにおけるＡＣＣ信号、ＤＥＣ信号のタイミングチャートである。
【図７】変形例の結露除去モードにおけるＡＣＣ信号、ＤＥＣ信号のタイミングチャートである。
【図８】エンジン制御部及びモータユニットのブロック図である。
【図９】結露除去モードにおけるモータ通電例を示すタイミングチャートである。
【図１０】変形例の結露除去モードにおけるモータ通電例を示すタイミングチャートである。
【発明を実施するための形態】
【０００９】
以下、図面を参照して本発明の実施の形態を説明する。
【００１０】
（第１の実施の形態）
図１は、本発明の第１の実施の形態に係る画像形成装置を含む画像形成システムの構成を示すブロック図である。この画像形成システムは、画像形成装置２及びホストＰＣ１を有する。画像形成装置２は、例えばＬＢＰ（レーザビームプリンタ）である。なお、画像形成装置２は、ＬＢＰに限定されず、電子写真方式を採用した複写機やファクシミリ等の装置でもよい。また画像形成装置２はモノクロ機とするが、カラー機であってもよい。
【００１１】
画像形成装置２において、システム制御部１００はホストＰＣ１と通信し、画像形成装置２の全体を制御する。エンジン制御部１０１はシステム制御部１００と接続され、画像形成装置２のエンジン部分を制御する。露光ユニット２００は、レーザ基板２０２とモータユニット１０６とＢＤ基板２０１と光学部品２０３とを有する。モータユニット１０６には、回転する回転多面鏡１０５が備えられている。出射手段としてのレーザ基板２０２から出射（発光）されたレーザ光（レーザビーム）は、モータユニット１０６で回転する回転多面鏡１０５で偏向走査される。走査されたレーザ光はＢＤ基板２０１により走査基準信号（ＢＤ信号）として検出される。ホストＰＣ１から画像データが送信されると、システム制御部１００が画像処理を行い、エンジン制御部１０１を経由してレーザ基板２０２から画像に応じた発光が行われる。
【００１２】
感光ドラム６（感光体）は、帯電部７により帯電される。回転多面鏡１０５で走査されたレーザ光により、帯電された感光ドラム６上（感光体上）に潜像が形成される。感光ドラム６上に形成された潜像は現像部８でトナー像として現像される。給紙部３は、媒体給紙部５を駆動することで記録用の媒体４を給送する。給送された媒体４は媒体搬送部１１で転写部９に搬送される。感光ドラム６上に形成されたトナー像が転写部９にて媒体４上に転写される。媒体４上に形成されたトナー像は、発熱体である定着部１２において媒体４上に定着される。トナー像が定着された媒体４は、媒体搬送部１３により搬送され、排紙部１４へ排出される。以上のようにして画像形成が行われる。
【００１３】
図２は、エンジン制御部１０１及びモータユニット１０６のブロック図である。エンジン制御部１０１は、ＣＰＵ１０２またはＳＯＣ（System On Chip）を備える。ＣＰＵ１０２は、駆動回路１０３に対して、例えばＡＣＣ信号用、ＤＥＣ信号用、及びＦＧ信号用の制御線で接続され、駆動回路１０３を制御する。ここで、ＡＣＣ信号は加速信号、ＤＥＣ信号は減速信号、ＦＧ信号はモータの回転数信号である。モータユニット１０６は、駆動回路１０３及びモータ１０４を備える。回転多面鏡１０５を備えたモータ１０４は、三相交流におけるＵ相、Ｖ相、Ｗ相の各々に対応するコイルを備え、それぞれのコイルが駆動回路１０３と接続されている。ＣＰＵ１０２がモータ１０４の回転制御を行い、モータ１０４の回転により回転多面鏡１０５が回転する。
【００１４】
また、モータユニット１０６は温度センサ１０７を備える。温度センサ１０７は、回転多面鏡１０５の近傍に配置され、回転多面鏡１０５近傍の温度を検知し、その検知結果をＣＰＵ１０２に供給する。なお、温度センサ１０７を備えることは必須でない。エンジン制御部１０１は、ＣＰＵ１０２のワークエリアとなるＲＡＭ、ＣＰＵ１０２により実行されるプログラムを格納するＲＯＭを備える（いずれも図示せず）。
【００１５】
本実施の形態では、エンジン制御部１０１により回転多面鏡１０５の回転を制御する制御モードとして、画像形成モードと結露除去モードとがある。画像形成モードは、画像形成を実行するモードであり、結露除去モードは、結露対策のために回転多面鏡の結露を除去するモードである。詳細は後述するが、本実施の形態では、結露除去モードでは、エンジン制御部１０１は、回転多面鏡１０５を備えたモータ１０４を低速回転するよう制御する。
【００１６】
図３は、メイン処理のフローチャートである。この処理は、エンジン制御部１０１が備えるＲＯＭに格納されたプログラムをＣＰＵ１０２がＲＡＭに読み出して実行することにより実現される。この処理は、例えば、画像形成装置２の電源がオンにされると開始される。この処理において、ＣＰＵ１０２は、本発明における制御手段としての役割を果たす。
【００１７】
まず、ステップＳ１００で、ＣＰＵ１０２は、ユーザからの指示に基づき、結露除去モードを選択するか否かを判別する。ここで、ユーザは結露除去モードを指定でき、例えば、季節によって急激な温度上昇が生じる環境である場合に結露除去モードを指定する。例えば、朝の温度が１０度以下でエアコンの温度設定を２３度にするようなオフィス環境では、温度差により装置が結露する可能性があるので、ユーザは結露除去モードを指定する。
【００１８】
ステップＳ１００での判別の結果、結露除去モードを選択しない場合は、ＣＰＵ１０２は、装置の動作状態をスタンバイ（スリープ）状態とする（ステップＳ１１１）。そしてＣＰＵ１０２は、投入されたプリントジョブ（印刷ジョブ）があるか否かを判別する（ステップＳ１１２）。そしてＣＰＵ１０２は、投入されたプリントジョブがない場合は、処理をステップＳ１１１に戻す一方、投入されたプリントジョブがある場合は画像形成モードを実行し（ステップＳ１１３）、処理をステップＳ１１１に戻す。
【００１９】
ステップＳ１００での判別の結果、結露除去モードを選択する場合は、ＣＰＵ１０２は、制御モードを結露除去モードとし、動作開始時刻及び動作終了時刻の入力を受け付ける（ステップＳ１０１）。動作開始時刻と動作終了時刻の入力例として、始業時間がＡＭ８：００でエアコン動作開始時刻がＡＭ７：３０の場合、動作開始時刻としてＡＭ７:００、動作終了時刻としてＡＭ８：００をユーザが設定する。すなわち、ユーザは、結露対策のために、エアコン動作開始前に、画像形成装置２の内部温度が上昇するように設定する。なお、ユーザが適切な時刻を設定できるように、マニュアルに記載しておくとよい。あるいはユーザが時刻を容易に設定できるようにパネル等で案内するようにしてもよい。なお、動作開始時刻と動作終了時刻がデフォルトで一律の値が設定されるように構成してもよい。
【００２０】
次に、ＣＰＵ１０２は、入力された動作開始時刻と動作終了時刻とを、ＣＰＵ１０２に内蔵されるタイマにセットする（ステップＳ１０２）。次に、ＣＰＵ１０２は、ステップＳ１０４で、モータ１０４への通電を開始（ＯＮ）すると共に、結露防止のためにモータ１０４に対する通電制御処理（後述）を実行する。その後、ＣＰＵ１０２は、動作終了時刻が到来するまで通電制御処理を継続する（ステップＳ１０５）。この通電制御処理においては、ＣＰＵ１０２は、モータ１０４を、画像形成モードに比し低い速度で回転させるか、またはモータ１０４に通電したままモータ１０４の回転を停止させる動作を行う。本実施の形態では、一例として、モータ１０４を低速回転させる制御が採用される。通電制御処理について図４〜図７で説明する。
【００２１】
図４、図６はそれぞれ、画像形成モード、結露除去モードにおいて駆動回路１０３に出力されるＡＣＣ信号、ＤＥＣ信号のタイミングチャートである。図５は、画像形成モードにおけるモータ通電例を示すタイミングチャートである。まず、画像形成モードでの制御について説明する。画像形成モードでは、図４に示すように、ＣＰＵ１０２は、モータＯＮ（モータ１０４への通電開始）のタイミングでＡＣＣ信号をＯＮ（オン）とし、駆動回路１０３からＵ相、Ｖ相、Ｗ相を駆動すると、モータ１０４は回転を始める。ＣＰＵ１０２は、モータ１０４の回転数が画像形成モード時の目標回転数である第１の所定の回転数になることをＦＧ信号で検出すると、ＡＣＣ信号がオンである加速期間を終了させ、定常回転期間へ移行させる。エンジン制御部１０１は定常回転期間において、モータ１０４の回転数が第１の所定の回転数で一定となるように、ＡＣＣ信号とＤＥＣ信号との切り替えにより制御する。図５に示すように、モータ１０４は、Ｕ相、Ｖ相、Ｗ相（のコイル）に順次通電されることで回転を継続する。
【００２２】
結露除去モードでは、図６に示すように、ＣＰＵ１０２は、モータＯＮ（モータ１０４への通電開始）のタイミングでＡＣＣ信号をＯＮ（オン）とし、駆動回路１０３からＵ相、Ｖ相、Ｗ相を駆動させると、モータ１０４は回転を始める。ＣＰＵ１０２は、モータ１０４の回転数が結露除去モード時の目標回転数である第２の所定の回転数になることをＦＧ信号で検出すると、ＡＣＣ信号がオンである加速期間を終了させ、低速回転期間へ移行させる。ここで、第２の所定の回転数は第１の所定の回転数より低い値であり、予め決められている。
【００２３】
図７は、変形例の結露除去モードにおいて駆動回路１０３に出力されるＡＣＣ信号、ＤＥＣ信号のタイミングチャートである。ＣＰＵ１０２は、通電制御処理で、図６に示す制御に代えて図７に示す制御を採用してもよい。図７の例では、ＣＰＵ１０２は、モータＯＮ（モータ１０４への通電開始）のタイミングでＡＣＣ信号をＯＮ（オン）とし、モータ１０４は回転を始める。その後、ＣＰＵ１０２は、ＡＣＣ信号をＯＦＦ（オフ）にする。すなわち、ＡＣＣ信号をＯＮにする期間は、モータ１０４の回転数が第２の所定の回転数になる期間より十分に短いとされる。その後、ＣＰＵ１０２は、ＤＥＣ信号を出力し、間隔を開けてＡＣＣ信号とＤＥＣ信号の出力を交互に繰り返す（間欠的に通電）。従って、モータ１０４の回転数は第２の所定の回転数に至らず低速で回転し、あるいは一時的に停止することもあり得る。なお、図７に示す例ではＤＥＣ信号が出力されるとしたが、ＤＥＣ信号の出力は必須でない。すなわちＣＰＵ１０２は、ＡＣＣ信号のオンとオフとを間欠的に繰り返してもよい。
【００２４】
ステップＳ１０５での判別の結果、動作終了時刻が到来すると、ＣＰＵ１０２は、通電制御処理を停止し、モータ１０４への通電をＯＦＦ（オフ）にする（ステップＳ１０６）。そしてＣＰＵ１０２は、装置の動作状態をスタンバイ（スリープ）状態とする（ステップＳ１０７）。そしてＣＰＵ１０２は、動作開始時刻が再び到来（例えば、翌日の動作開始時刻が到来）したか否かを判別する（ステップＳ１０８）。ＣＰＵ１０２は、動作開始時刻が到来していない場合は、投入されたプリントジョブがあるか否かを判別する（ステップＳ１０９）。そしてＣＰＵ１０２は、投入されたプリントジョブがない場合は、処理をステップＳ１０７に戻す一方、投入されたプリントジョブがある場合は画像形成モードを実行し（ステップＳ１１０）、処理をステップＳ１０７に戻す。一方、ステップＳ１０８で、動作開始時刻が再び到来した場合は、ＣＰＵ１０２は、制御モードを結露除去モードとし、処理をステップＳ１０４に戻す。
【００２５】
なお、図３の処理中に、装置電源のオフが指示された場合は、ＣＰＵ１０２は、図３の処理を終了させると共に、装置電源をオフにする。
【００２６】
本実施の形態によれば、ＣＰＵ１０２は、結露除去モードでは画像形成モードに比し低速でモータ１０４を回転させる。これにより、モータ１０４の昇温が熱伝導し、プリント動作前に回転多面鏡１０５を温めることができるので、回転多面鏡１０５の結露を抑制できる。また、併せて露光ユニット２００も暖気され、露光ユニット２００の結露も抑制できる。また、結露除去モードではモータ１０４が低速回転するので、騒音の発生が抑えられる。また、ヒータを設ける必要がないので、コストや省スペースの点で有利である。よって、低コスト、低騒音、省スペースでありながら、回転多面鏡１０５の結露を抑制することができる。
【００２７】
なお、ステップＳ１００でユーザからの指示により結露除去モードが選択されるとしたが、これに限らない。例えば、結露発生が予想される所定の条件が成立した場合に、ＣＰＵ１０２が結露除去モードを自動的に選択する構成としてもよい。所定の条件は、例えば、回転多面鏡１０５近傍の温度（例えば、温度センサ１０７の検知結果）が所定温度より低い場合等である。さらには湿度を検知するセンサを設け、ある閾値より低温で高湿の場合に所定の条件が成立するとしてもよい。なお、装置電源がオンにされた直後だけでなく、電源オン後、ＣＰＵ１０２が所定の条件の成立を判定し、所定の条件が成立したとき結露除去モードに切り替えるようにしてもよい。このようにする場合、ユーザが動作開始時刻及び動作終了時刻を設定しないで済み、負担が軽減される。
【００２８】
なお、結露除去モード時に、モータ１０４の回転動作中の回転数を示す値を、数値またはメータにより表示させてもよい。
【００２９】
なお、結露除去モード時におけるモータ１０４の目標となる第２の所定の回転数をユーザが設定できるように構成してもよい。例えば、ユーザは、騒音の低減に主眼をおく場合、第２の所定の回転数を低めに設定することができ、その際、結露抑制機能の確保のために動作開始時刻を早めに設定することも可能である。このように自由度が高まる。
【００３０】
（第２の実施の形態）
本発明の第２の実施の形態の画像形成装置は、第１の実施の形態に対してエンジン制御部１０１及びモータユニット１０６の構成が異なる。図８は、本実施の形態におけるエンジン制御部１０１及びモータユニット１０６のブロック図である。本実施の形態では、ＣＰＵ１０２は、三相交流におけるＵ相、Ｖ相、Ｗ相の信号をモータユニット１０６へ直接出力することができる。モータユニット１０６は、トランジスタ８０１、８０２、８０３を備える。温度センサ１０７は必須でない。その他の構成は第１の実施の形態と同様である。ＣＰＵ１０２は、Ｕ相、Ｖ相、Ｗ相の信号を出力し、トランジスタ８０１、８０２、８０３によりモータ１０４を駆動する。
【００３１】
本実施の形態では、メイン処理（図３）は第１の実施の形態で説明したのと基本的に同様であるが、通電制御処理（図３のステップＳ１０４）が異なる。通電制御処理でＣＰＵ１０２が実行する内容について、図９、図１０を併せて参照して説明する。第１の実施の形態では、通電制御処理においてモータ１０４を低速回転させたが、本実施の形態では、モータ１０４に通電するがモータ１０４を回転させないという制御が採用される。
【００３２】
図９は、結露除去モードにおけるモータ通電例を示すタイミングチャートである。通電制御処理において、ＣＰＵ１０２は、モータ１０４に通電する際、モータ１０４の三相交流におけるＵ相、Ｖ相、Ｗ相への通電を一斉にオンにするよう制御する。Ｕ相、Ｖ相、Ｗ相に同時に通電されるので、モータ１０４は回転しないが、通電に伴い昇温する。昇温により回転多面鏡１０５の結露抑制効果が得られる。モータ１０４は回転しないので静粛である。
【００３３】
図１０は、変形例の結露除去モードにおけるモータ通電例を示すタイミングチャートである。ＣＰＵ１０２は、通電制御処理で、図９で示す制御に代えて図１０に示す制御を採用してもよい。図１０に示す例では、モータ１０４に通電する際、Ｕ相、Ｖ相、Ｗ相への通電を一斉にオンにした後、一斉にオフにすることを繰り返すよう制御する。Ｕ相、Ｖ相、Ｗ相に同時に通電され、しかも同時に通電解除されるので、モータ１０４は回転しない。しかし通電に伴いモータ１０４は昇温し、回転多面鏡１０５の結露抑制効果が得られる。モータ１０４は回転しないので静粛である。また、図１０の制御例によると、通電が間欠動作となるので、モータ１０４の過昇温を防ぐことができる。なお、非通電期間（ＯＦＦ期間）は、モータ１０４が過昇温とならず且つ結露防止効果が得られる程度の値として予め実験等で求めておくとよい。モータ１０４の過昇温を抑制することで、回転多面鏡１０５の蒸着膜の寿命や光学系への影響を低減できる。
【００３４】
本実施の形態によれば、ＣＰＵ１０２は、結露除去モードではモータ１０４に通電し且つモータ１０４の回転を停止させる。これにより、回転多面鏡１０５や露光ユニット２００の結露を抑制できる。また、結露除去モードではモータ１０４が回転しないので騒音の発生が抑えられる。また、ヒータを設ける必要がないので、コストや省スペースの点で有利である。よって、低コスト、低騒音、省スペースでありながら、回転多面鏡１０５の結露を抑制することに関し、第１の実施の形態と同様の効果を奏することができる。
【００３５】
なお、ＣＰＵ１０２はＵ相、Ｖ相、Ｗ相の信号を直接出力し、トランジスタ８０１等でモータ１０４を駆動する例を示したが、これに限定されるものではない。例えば、図２に示すモータユニット１０６の駆動回路１０３にロジックコア部を設け、このロジックコア部に「モータを回転させずに通電する」ロジックを入れる。ＣＰＵ１０２はI２Ｃ（Inter-Integrated Circuit）等のシリアル通信等で駆動回路１０３のロジックコア部と通信し、「モータを回転させずに通電する」ロジックを選択するようにしてもよい。このように構成することで、モータ１０４を回転させることなく通電して昇温することが可能となる。
【００３６】
なお、本実施の形態において、モータ過昇温防止の観点からは、ＣＰＵ１０２は、温度センサ１０７の検知結果に基づいて、回転多面鏡１０５が適切な温度範囲となるようにモータ１０４の通電期間（ＯＮ期間）を制御するようにしてもよい。
【００３７】
なお、上記各実施の形態において、ＣＰＵ１０２は、結露除去モードにおいては、レーザ基板２０２によるレーザビームの出射を停止するように制御してもよい。そのようにすることでレーザ基板２０２の寿命を延ばすことができる。
【００３８】
なお、上記各実施の形態において、モータ通電中に印刷ジョブが投入された場合に、結露の解消を判定してプリントへ移行できるようにしてもよい。すなわち、ＣＰＵ１０２は、結露除去モードにおいて印刷ジョブが投入された場合、回転多面鏡１０５の結露が解消したか否かを判定し、結露が解消したと判定した場合は、制御モードの選択を画像形成モードに切り替える。ここで、回転多面鏡１０５の結露が解消しているかどうかの判定は、公知の技術により実現可能である。例えばＣＰＵ１０２は、レーザ光を走査し、ＢＤ基板２０１からＢＤ信号が得られれば結露が解消していると判定できる。あるいは、ＣＰＵ１０２は、感光ドラム６上に測定用のトナー画像を形成し、そのトナー画像を正常に読み出せた場合に結露が解消していると判定できる。具体的に図３の処理に組み入れるとすれば、ステップＳ１０４とＳ１０５との間に「結露が解消したか否か」の判定ステップを設ける。そしてＣＰＵ１０２は、結露が解消するまでステップＳ１０４、Ｓ１０５を繰り返し、結露が解消すると、処理をステップＳ１０６に進める。これにより、制御モードは画像形成モードに切り替わる。その後、動作開始時刻が到来しない限り画像形成モードが継続する。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４０】
１０１  エンジン制御部
１０２  ＣＰＵ
１０４  モータ
１０５  回転多面鏡
２０２  レーザ基板
【図１】
2019101237.tif 000003
【図２】
2019101237.tif 000004
【図３】
2019101237.tif 000005
【図４】
2019101237.tif 000006
【図５】
2019101237.tif 000007
【図６】
2019101237.tif 000008
【図７】
2019101237.tif 000009
【図８】
2019101237.tif 000010
【図９】
2019101237.tif 000011
【図１０】
2019101237.tif 000012